(57)【要約】【課題】上下風向変更羽根が閉じた状態で、それに外力や衝撃が加わっても外れない空気調和機を提供する。【解決手段】熱交換器１で熱交換された空気を吹き出す吹出口４と、前記吹出口４の左右両端及びその間に変動可能に設けられた腕２１と、前記腕２１のそれぞれの先端に回動かつ着脱自在に支持される複数の支持部１１を有すると共に吹き出し風の上下方向を変更する上下風向変更羽根９とを備え、前記上下風向変更羽根９が閉じられたとき、前記吹出口４の壁面と前記支持部１１の外形との間の隙間が小さくなるようにしたもので、運転が停止し、上下風向変更羽根９が閉じられた状態では、上下風向変更羽根９に、それが外れる方向に外力や衝撃が加わったとき、吹出口４の壁面に支持部１１の外形が当接するので、上下風向変更羽根９の支持部１１が腕２１から外れることは無い。【選択図】図１
2011007377.tif 000002
【特許請求の範囲】
【請求項１】
熱交換器で熱交換された空気を吹き出す吹出口と、前記吹出口の左右両端及びその間に変動可能に設けられた腕と、前記腕のそれぞれの先端に回動かつ着脱自在に支持される複数の支持部を有すると共に吹き出し風の上下方向を変更する上下風向変更羽根とを備え、前記上下風向変更羽根が閉じられたとき、前記吹出口の壁面と前記支持部の外形との間の隙間が小さくなるようにしたことを特徴とする空気調和機。
【請求項２】
支持部の外形を略円弧状としたことを特徴とする請求項１に記載の空気調和機。
【請求項３】
上下風向変更羽根が閉じられたとき、吹出口の壁面と、全ての支持部の外形との間の隙間が小さくなるようにした請求項１又は２に記載の空気調和機。     
【発明の詳細な説明】
【技術分野】
【０００１】
本発明は、室内の冷暖房を行う空気調和機に関するものである。
【背景技術】
【０００２】
従来、この種の空気調和機として、熱交換器で熱交換された空気を吹き出す吹出口と、吹出口の両端とその間に設けられた第一、第二、第三の駆動機構の変動可能な腕により回動自在に支持された上下風向変更羽根を備え、前記上下風向変更羽根を着脱自在にしたものがある（例えば、特許文献１参照）。
【先行技術文献】
【特許文献】
【０００３】
【特許文献１】特開２００８−３９２５２号公報
【発明の概要】
【発明が解決しようとする課題】
【０００４】
しかしながら、上記特許文献１に記載された従来の空気調和機の構成では、吹出口の両端とその間に設けた第一、第二、第三の駆動機構の腕から上下風向変更羽根を着脱できるように構成しているため、運転停止位置の上下風向変更羽根が閉じた状態において、衝撃を受けた時や空気調和機を据付ける時などに、上下風向変更羽根が軸外れ方向に押されると上下風向変更羽根が腕より簡単に外れるという課題を有していた。
【０００５】
本発明は、前記従来の課題を解決するもので、空気調和機の吹出口において、変動可能な腕を介して上下方向の風向を制御する上下風向変更羽根を具備している空気調和機において、運転停止位置において上下風向変更羽根が閉じた状態においては、上下風向変更羽根が衝撃や人により押されたりしても、上下風向変更羽根が腕より外れないようにし、腕を引き出した状態では着脱可能な構成にし、上下風向変更羽根の回動を妨げることがなく、また、上下風向変更羽根を別部品により腕と連結させることなく簡素な構成で着脱自在にし、安価な空気調和機を提供することを目的とする。
【課題を解決するための手段】
【０００６】
前記従来の課題を解決するために、本発明の空気調和機は、熱交換器で熱交換された空気を吹き出す吹出口と、前記吹出口の左右両端及びその間に変動可能に設けられた腕と、前記腕のそれぞれの先端に回動かつ着脱自在に支持される複数の支持部を有すると共に吹き出し風の上下方向を変更する上下風向変更羽根とを備え、前記上下風向変更羽根が閉じられたとき、前記吹出口の壁面と前記支持部の外形との間の隙間が小さくなるようにしたもので、運転が停止し、上下風向変更羽根が閉じられた状態では、上下風向変更羽根に、それが外れる方向に外力や衝撃が加わったとき、吹出口の壁面に支持部の外形が当接するので、上下風向変更羽根の支持部が腕から外れることは無い。また、上下風向変更羽根の外れ防止のための外れ防止機構を、支持部の外形で構成することにより別部品が不要となり、安価に構成することができる。
【発明の効果】
【０００７】
本発明の空気調和機は、運転停止時の上下風向変更羽根が閉じ状態において、上下風向変更羽根に、衝撃や空気調和機の据付け時に軸外れ方向の外力が加わっても、上下風向変更羽根が腕より外れることのない空気調和機を簡素な構成で安定して供給することが可能となる。
【図面の簡単な説明】
【０００８】
【図１】本発明の実施の形態１における空気調和機の断面図
【図２】同空気調和機の正面図
【図３】同空気調和機の上下風向変更羽根着脱位置を示す断面図
【図４】同空気調和機の上下風向変更羽根を軸外れ方向に押した状態を示す断面図
【図５】同空気調和機の上下風向変更羽根を軸外れ方向に押した状態を示す要部拡大断面図
【図６】（ａ）同空気調和機の駆動機構取付け部の斜視図、（ｂ）同駆動機構の斜視図
【発明を実施するための形態】
【０００９】
第１の発明は、熱交換器で熱交換された空気を吹き出す吹出口と、前記吹出口の左右両端及びその間に変動可能に設けられた腕と、前記腕のそれぞれの先端に回動かつ着脱自在に支持される複数の支持部を有すると共に吹き出し風の上下方向を変更する上下風向変更羽根とを備え、前記上下風向変更羽根が閉じられたとき、前記吹出口の壁面と前記支持部の外形との間の隙間が小さくなるようにしたもので、運転が停止し、上下風向変更羽根が閉じられた状態では、上下風向変更羽根に、それが外れる方向に外力や衝撃が加わったとき、吹出口の壁面に支持部の外形が当接するので、上下風向変更羽根の支持部が腕から外れることは無い。また、上下風向変更羽根の外れ防止のための外れ防止機構を、支持部の外形で構成することにより別部品が不要となり、安価に構成することができる。
【００１０】
第２の発明は、特に、第１の発明の支持部の外形を略円弧状としたもので、上下風向変更羽根の回動を妨げることなく、運転停止位置でのみ、上下風向変更羽根の外れ防止機能を発揮することができる。
【００１１】
第３の発明は、特に、第１又は第２の発明の上下風向変更羽根が閉じられたとき、吹出口の壁面と、全ての支持部の外形との間の隙間が小さくなるようにしたもので、上下風向変更羽根が閉じられた状態で、上下風向変更羽根のどの位置に外力や衝撃が加わっても、上下風向変更羽根全体は勿論一部も外れることは無い。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機の断面図、図２は、同空気調和機の正面図、図３は、同空気調和機の上下風向変更羽根着脱位置を示す断面図、図４は、同空気調和機の上下風向変更羽根を軸外れ方向に押した状態を示す断面図、図５は、同空気調和機の上下風向変更羽根を軸外れ方向に押した状態を示す要部拡大断面図、図６は、同空気調和機の駆動機構取付け部の斜視図及び同駆動機構の斜視図である。
【００１４】
本実施の形態における空気調和機７は、本体７ａの前面から上面にかけて吸入口３を形成し、本体７ａ内部に熱交換器１と、ファン２と、吹出グリル５を有している。熱交換器１は、ファン２の上流側に配置され、吹出グリル５は、ファン２の下流側の送風路６と、熱交換器１で熱交換された空気を吹き出す吹出口４を形成している。
【００１５】
空気調和機７は、前面の吸入口３を開閉するパネル８と、吹出口４を開閉すると共に吹出し風の上下風向の向きを変える上下風向変更羽根９を備えている。
【００１６】
駆動機構１０は、腕２１とケーシング２２を有し、腕２１は、ケーシング２２に変動可能なように保持されている。その駆動機構１０は、空気調和機７の本体７ａ内部に保持さ
れ、腕２１の先端で、上下風向変更羽根９の支持部１１を回動自在に支持している。
【００１７】
本実施の形態では、駆動機構１０は、図６に示すように、吹出グリル５にそれぞれ配された、第１の駆動機構１０ａと、第２の駆動機構１０ｂと、第３の駆動機構１０ｃで構成されている。
【００１８】
第１の駆動機構１０ａは、吹出口４の左端に配置され、第２の駆動機構１０ｂは、吹出口４の右端に配置されており、また、第３の駆動機構１０ｃは、第１駆動機構１０ａと第２の駆動機構１０ｂとの間に位置すると共に、第１〜第３の駆動機構１０ａ〜１０ｃのそれぞれは、同期軸１２によって連結されている。
【００１９】
そして、第１の駆動機構１０ａには、腕駆動用モーター１３が備えられ、腕駆動用モーター１３の回動動力は、同期軸１２によって、第３の駆動機構１０ｃと第２の駆動機構１０ｂに伝達される。一方、羽根駆動用モーター（図示せず）の回転動力は、歯車などの駆動伝達手段（図示せず）を介して、上下風向変更羽根９の支持部１１に伝達され、上下風向変更羽根１０を回動させるようになっている。
【００２０】
次に、図３、４、５を用いて、本実施の形態における空気調和機の上下風向変更羽根９の着脱方法について説明する。
【００２１】
図１は、本実施の形態における空気調和機の運転停止位置を示す断面図である。この状態で空気調和機を据え付ける時に、上下風向変更羽根９が下から押さえられると、図４のように軸外れ方向に力が加わり、上下風向変更羽根９の支持部１１が、駆動機構１０の腕２１から外れようとするが、図５の拡大断面図に示すように、略円弧状の支持部１１の外形が、吹出口４の壁面に当たるため腕２１から外れることはない。また、図３のように腕２１を引出すことにより、上下風向変更羽根９の支持部１１の外形が吹出口４の壁面に当たることがなく着脱が可能になる。
【産業上の利用可能性】
【００２２】
以上のように、本発明の空気調和機は、上下風向変更羽根の着脱可能な構成における運転停止位置では、外れることがないもので、空気調和機に限らず除湿装置や空気清浄装置にも適用できる。
【符号の説明】
【００２３】
１  熱交換器
２  ファン
３  吸入口
４  吹出口
５  吹出グリル
６  送風路
７  空気調和機
７ａ  本体
８  パネル
９  上下風向変更羽根
１０  駆動機構
１１  支持部
１３  腕駆動用モーター
１４  同期軸
２１  腕
２２  ケーシング
【図１】
2011007377.tif 000003
【図２】
2011007377.tif 000004
【図３】
2011007377.tif 000005
【図４】
2011007377.tif 000006
【図５】
2011007377.tif 000007
【図６】
2011007377.tif 000008